(57)【要約】【課題】  スポーツ、演奏、講演等の緊張を伴う所定の行為を実行する行為者の腕に装着し、前記行為者の緊張に係るアラームを通知するリストバンドを提供する。【解決手段】  自リストバンドは、加速度変動計測手段と、脈拍血圧計測手段と、脈拍血圧記憶手段と、アラーム通知手段と、を有し、前記加速度変動計測手段が計測した一連の加速度変動を解析し、緊張を伴う所定の行為を実行する直前の予め定められた事前動作を監視し、前記事前動作を検知した場合に、前記脈拍血圧計測手段が計測した値と前記脈拍血圧記憶手段に登録されている値を対比し、前記計測した値が予め定められた特定データに対応する値を超えているか否かを判定し、超えていると判定したならば前記アラーム通知手段を起動する。【選択図】  図１
2017138897.tif 000002
【特許請求の範囲】
【請求項１】
スポーツ、演奏、講演等の緊張を伴う所定の行為を実行する行為者の腕に装着し、前記行為者の緊張に係るアラームを通知するリストバンドであって、
前記行為者の脈拍およびまたは血圧の値を計測する脈拍血圧計測手段と、前記計測した値を緊張の度合いまたは行為結果に係る所定の特定データと対応付けて記憶する脈拍血圧記憶手段と、前記計測した値に係るアラームを通知するアラーム通知手段と、を有し、
予め定められた第１の操作が為された場合に、前記脈拍血圧計測手段が計測した値と前記脈拍血圧記憶手段に記憶されている値を対比し、前記計測した値が予め定められた特定データに対応する値を超えているか否かを判定し、超えていると判定したならば、前記アラーム通知手段を起動し、
予め定められた第２の操作が為された場合に、前記脈拍血圧記憶手段が計測した値を前記第２の操作に対応する特定データと対応付けて記憶することを特徴とする緊張アラーム機能を有するリストバンド。
【請求項２】
請求項１に記載のリストバンドであって、自リストバンドに加わる一連の加速度変動を計測する加速度変動計測手段をさらに有し、
前記加速度変動計測手段が計測した一連の加速度変動を監視し、前記緊張を伴う所定の行為を実行する直前の予め定められた事前動作に対応する加速度変動を検知した場合に、前記第１の操作が為されたと判定することを特徴とする緊張アラーム機能を有するリストバンド。
【発明の詳細な説明】
【技術分野】
【０００１】
本発明は、ゴルフ等のスポーツにおけるプレイヤー、演奏会等における演奏者、講演等における講演者等、緊張を伴う所定の行為を実行する行為者の腕に装着するリストバンドに関する。
【背景技術】
【０００２】
例えば、ゴルフの場合、ゴルフボールを正確にショットするためには、ゴルフクラブを力み無く、且つリズミカルにスイングする必要があり、ゴルフボールに対して正確にアドレスした上で、ショット直前のフォワードプレスやワッグル等の開始動作をし、開始動作に続くバックスイング，トップ，ダウンスイング，インパクト，フォロースルー，フィニッシュの各スイング要素を、適切かつ澱みなく実行出来た時に、ナイスショットとなる。
しかしながら、皆が見ている朝一番のショットや、ベストスコアの更新が視野に入ったショットの際、プレイヤーはかなり緊張するのが一般的である。そして、ショットしようと構えている段階で（アドレス）、過度に緊張していると（適度な緊張感も必要だが）、澱みの無いスムースなゴルフスイングを実行することが困難で、スイング要素やバランスが崩れ、ミスショットになる確率が極めて高い。
【０００３】
これを防止するには、構えたら直ぐ打つこと、即ち緊張する前に打つことが望ましいとされているが、アドレスした段階で既に過度に緊張している場合には、一旦アドレスを解いて、深呼吸をする等、緊張を解す必要がある。しかし、同伴プレイヤー等に見られているプレイヤーは、早くその状況から逃れようとして、自身が過度に緊張していても、そのことに気付かないまま、または気付いても無視して、そのままショットしてしまい、ミスショットになることが多い。従って、アドレスした段階で、自身の緊張度合いが分かる、リストバンドのようなウェアラブルな機具で、過度の緊張を客観的にアラームすることが出来れば、一旦アドレスを解いて、冷静に緊張を解す契機になるので、好都合である。
【０００４】
特許文献１には、人の脈拍、血圧の変化によって、危険を自動的に感知して、自動的に発信して、防犯システムを発動することを目的とする装置に関する記述がある。しかしながら、特許文献１に記載された内容は、強盗など暴力犯罪に遭遇した場合を想定したもので、危険感知機能部分、調節制御機能部分、信号発送機能部分、警告機能部分、調節制御機能部分を備えるとの記載があるものの、各部分の技術的な構成と動作が曖昧である。
【先行技術文献】
【特許文献】
【０００５】
【特許文献１】特開平９−７０７３号公報
【発明の概要】
【発明が解決しようとする課題】
【０００６】
そこで、本発明の課題は、スポーツ、演奏、講演等の緊張を伴う所定の行為を実行する行為者の腕に装着し、前記行為者の緊張に係るアラームを通知するリストバンドを提供することにある。
【課題を解決するための手段】
【０００７】
上記課題を解決するために、本発明は、スポーツ、演奏、講演等の緊張を伴う所定の行為を実行する行為者の腕に装着し、前記行為者の緊張に係るアラームを通知するリストバンドであって、前記行為者の脈拍およびまたは血圧の値を計測する脈拍血圧計測手段と、前記計測した値を緊張の度合いまたは行為結果に係る所定の特定データと対応付けて記憶する脈拍血圧記憶手段と、前記計測した値に係るアラームを通知するアラーム通知手段と、を有し、予め定められた第１の操作が為された場合に、前記脈拍血圧計測手段が計測した値と前記脈拍血圧記憶手段に記憶されている値を対比し、前記計測した値が予め定められた特定データに対応する値を超えているか否かを判定し、超えていると判定したならば、前記アラーム通知手段を起動し、予め定められた第２の操作が為された場合に、前記脈拍血圧記憶手段が計測した値を前記第２の操作に対応する特定データと対応付けて記憶することを特徴とする。
【発明の効果】
【０００８】
本発明によれば、スポーツ、演奏、講演等の緊張を伴う所定の行為を実行する行為者の腕に装着し、前記行為者の緊張に係るアラームを通知するリストバンドを提供できる。
【０００９】
特に、本リストバンドは、ラウンド中に非緊張状態と緊張状態が何度も繰り返されるゴルフに好適であり、ショット時やパッティング時の過度の緊張を解すことをアラームするので、スコアアップに通じると共に、心臓発作等を防止する効果もある。
【図面の簡単な説明】
【００１０】
【図１】本発明の実施形態に係るリストバンド１の内部ブロック構成図
【図２】ゴルフスイングにおけるスイング要素
【図３】脈拍血圧実行結果記憶部１５の記憶内容の例
【図４】本発明の実施形態に係るリストバンド１の動作フローチャート
【発明を実施するための形態】
【００１１】
以下、ラウンド中のゴルフプレイヤーが本リストバンドを装着した場合を例に、本発明の実施形態について、図面を用いて説明する。
【００１２】
図１は、本発明の実施形態に係るリストバンド１の内部ブロック構成の一例である。本リストバンド１は、ゴルフクラブを振るゴルファーの腕に装着するリストバンドであって、データ処理／制御部１０，脈拍血圧計測部１１，加速度センサ１２，開始動作登録部１３，閾値登録部１４，脈拍血圧実行結果記憶部１５、操作部１６，表示部１７，近距離無線通信部１８から構成される。
データ処理／制御部１０は、加速度センサ１２から入力した加速度データの変動を解析するデータ処理および演算処理を実行すると共に、本リストバンド１を構成する各部を制御する手段である。
【００１３】
脈拍血圧計測部１１は、データ処理／制御部１０からの指示で起動／停止し、リストバンド１を装着するゴルファーの血圧及び脈拍を測定する。測定した血圧及び脈拍は、データ処理／制御部１０へ出力される。そして、データ処理／制御部１０は、入力された血圧脈拍データを脈拍血圧実行結果記憶部１５に記憶すると共に、閾値登録部１４に登録されている閾値と対比する。
【００１４】
加速度センサ１２は、本リストバンド１に加わる加速度を計測するセンサであり、データ処理／制御部１０からの指示で起動／停止し、計測した一連の時系列的な加速度データをデータ処理／制御部１０へ出力する。そして、データ処理／制御部１０は、入力された加速度データを解析し、開始動作（図２の状態Ｂ）を検出したら、直前に入力された血圧脈拍の値と閾値登録部１４に登録されている閾値を対比し、アラームすべきレベルか否かを判定し、アラームすべきレベルであれば、表示部１７により、アラームをゴルファーに通知する。
【００１５】
なお、加速度データは、方向性のあるベクトルデータであってもよいし、直交するＸ軸，Ｙ軸，Ｚ軸の各方向成分を含む加速度の３次元ベクトルデータを演算処理したスカラーデータであってもよい。
【００１６】
開始動作登録部１３は、ゴルフスイングを開始する際に、滑らかに始動するための開始動作（フォワードプレスやワッグル等）に対応する時系列的な加速度変動に係るデータを、開始動作データとして登録しておく手段である。登録する開始動作データは、ゴルファーまたはゴルフクラブと対応付けられて登録されている。ここで、ゴルフクラブとも対応付けて登録する理由は、ゴルフクラブの種類により重量やバランスが異なっているので、同じゴルファーが開始動作として同じフォワードプレスを実行したとしても、慣性の差異で加速度変動が異なる可能性があるためである。なお、登録する開始動作データは、実際に本リストバンドを装着してフォワードプレスやワッグル等の開始動作を実際に実行させて計測した加速度変動を登録しておけばよい。
【００１７】
閾値登録部１４は、アラームを通知すべき血圧及び脈拍数の閾値を登録する手段である。閾値登録部１４に登録される血圧及び脈拍数の閾値はゴルファー毎に異なっても良い。データ処理／制御部１０は、閾値登録部１４に登録されている閾値を参照して、アラーム通知の要否を判定する。
【００１８】
脈拍血圧実行結果記憶部１５は、本リストバンド１を装着している者の脈拍及び血圧に係るデータを、緊張度，実行結果（ショット結果），ゴルファーと対応付けて記憶する手段である。なお、緊張度と実行結果は、ショット後にプレイヤー自身が、操作部１６を操作して、緊張した度合いやショット結果の良し悪しに応じた値（例えば、５段階評価）を入力する。
【００１９】
操作部１６は、本リストバンド１に種々のデータや操作コマンドを入力する手段である。操作データの入力方式は、一般的なキー入力方式に加え、マイク（図示せず）から入力した音声を解析してコマンド音声を認識する音声コマンド入力方式を併用してもよい。さらに、予め定められた特定動作（例えば、腕を数回大きく振る等）を操作コマンドと対応付けて登録しておき、加速度センサ１２でその特定動作を検知して操作コマンドを入力するようにしてもよい。
【００２０】
表示部１７は、ＬＥＤ，ＬＣＤ，スピーカ，バイブレータ等の本リストバンド１の動作状態や、本リストバンド１を装着するゴルファーにアラーム情報を通知する手段である。本リストバンド１と一般的な腕時計を兼用する場合、表示部１７は、腕時計の表示機能と兼用してもよい。
【００２１】
近距離無線通信部１８は、本リストバンド１の近傍に存在する外部機器（例えば、スマートホン）との間でデータを授受するための、Ｂｌｕｅｔｏｏｔｈ（登録商標）やＮＦＣ（Ｎｅａｒ  Ｆｉｅｌｄ  ｒａｄｉｏ  Ｃｏｍｍｕｎｉｃａｔｉｏｎ）方式等による近距離無線通信を実行する手段である。なお、本リストバンド１と外部機器の接続は有線接続であってもよい。また、本リストバンド１で実行するデータ処理の一部または全てを、近距離無線通信を介して繋がる外部機器に実行させてもよい。
【００２２】
次に、一般的なゴルフスイングにおける、腕の動きと、腕に加わる加速度の変動について説明する。図２は、ゴルフスイングにおける、ゴルフクラブを握る腕（本リストバンド１装着）の動きとクラブヘッドの動きを、一般的なスイング要素に分解して模式的に示した説明図である。
【００２３】
状態Ａは、スイング要素としてのアドレスであって、これからショットするためのスタンス（足の位置）やグリップを決めた状態である。アドレスが決まった状態は、ほぼ静止状態であり加速度の変動は小さい。このスタンスやグリップが間違っているとナイスショットの確率が極端に低下するが、本発明においては、スタンスやグリップの良し悪しについては関知しない。
【００２４】
状態Ｂは、静から動（始動）の状態に円滑に移行するために、一般的に実行されている開始動作（プレショットルーチンとも言う）の状態である。この開始動作としては、例えば、ワッグルがあり、一般的には、クラブヘッドを左右に繰り返し小さく振る。これにより静止状態のアドレス（状態Ａ）から動状態のバックスイング（状態Ｃ）にスムースに移行でき、以降のタイミングが安定する。例えば、ワッグルの状態では、手首が前後左右に若干移動するので、加速度は小さく変動する。なお、この種の開始動作としては、このワッグル以外にも、クラブヘッドを目標方向に少し移動し、移動したグリップまたはヘッドを戻しながら、そのままバックスイングに移行するフォワードプレスや、グリップを握る力を複数回強弱するミルキングや、バックスイングの途中までヘッドの軌道をなぞる動作等がある。これらの開始動作はゴルファー毎に多種多様であるが、一人のゴルファーが実行する開始動作は略一定である。
【００２５】
状態Ｃは、腕とクラブヘッドを上げながら身体を捻ってエネルギーを貯めていくバックスイング（テークバックとも言う）の状態であり、トップ（状態Ｄ）に至る動作である。このバックスイングの状態では、開始動作（状態Ｂ）から手首が緩やかに加速し、トップ（状態Ｄ）で減速する。
【００２６】
状態Ｄは、バックスイングからダウンスイング（状態Ｅ）に切り返す際に発生するトップの状態である。このトップの期間は、実際には、バックスイングにおけるクラブヘッドを上げる上半身の動作とダウンスイングにおけるクラブヘッドを下す動作がバランスしている期間（間ともいう）であり、手首とクラブヘッドは一旦ほぼ停止しているので、加速度変動は小さい。
【００２７】
本実施形態においては、状態Ａ（アドレス）と状態Ｃ（開始動作）を検知し、その時の脈拍と血圧がアラームレベルを超えていた場合に、アラームを通知し、スイングを中断するよう、アラームをゴルファーに通知する。なお、スイングを開始しようとしている、またはスイングを開始した直後（開始動作中）のゴルファーへのアラームの通知方法としては、例えば、強烈なバイブレータ振動を起動すればよい。
【００２８】
図３は、脈拍血圧実行結果記憶部１５に、記憶される内容例を模式的に示した図であり、ゴルファー毎に脈拍／血圧と緊張度と実行結果の対応関係を示している。例えば、Ａ氏の場合、脈拍がＡｎ１，血圧Ａｍａｘ１〜Ａｍｉｎの時に、緊張度５（かなり緊張），実行結果１（かなり不満）で、大きなミスショットであったことを示している。なお、緊張度と実行結果はショット後に、ショットしたゴルファーが自らの判断で操作部１６を操作して入力する。
【００２９】
このように多くのデータを脈拍血圧実行結果記憶部１５に蓄積しておけば、ゴルファー毎の、脈拍，血圧，緊張度，実行結果の因果関係が分かり、ショットする直前の脈拍，血圧の値から緊張度と実行結果を推定することが可能となる。そして、所定の統計処理演算に基づき（図示せず）、ミスショットになる可能性が高いと推定される脈拍，血圧の値を、予め閾値登録部１４に登録しておけば、ショットする直前にミスショットの可能性をアラームすることが可能となる。
【００３０】
図４は、本リストバンド１の動作フローチャートである。以下、図１〜図３を併用して、本フローを説明する。
【００３１】
本フローは、ゴルフクラブを手にしたゴルファーが、電源が投入された本リストバンド１を腕に装着し、練習場またはゴルフコースにおいて、ゴルフボールを実際に打つ状態からスタートし（Ｓ４００）、電源が投入された段階で、データ処理／制御部１０は、脈拍血圧計測部１１と加速度センサ１２を起動する。なお、本フローでは、説明を簡単化するために、脈拍血圧計測部１１と加速度センサ１２は、電源が投入された後、常時起動状態としているが、省電力化のために必要な都度、脈拍血圧計測部１１と加速度センサ１２の起動／停止を制御するようにしてもよい。
【００３２】
待機状態において、データ処理／制御部１０は、ゴルファー選択（Ｓ４０２），登録／修正／削除（Ｓ４２０），脈拍／血圧の異常（Ｓ４４０）の各ＮＯを循環し、各イベントの発生を待つ。
【００３３】
Ｓ４０２において、操作部１６により、ゴルファーが選択されると（Ｓ４０２，ＹＥＳ）、データ処理／制御部１０は、選択されたゴルファーの開始動作データ（図２の状態Ｂに対応する加速度変動データ）を、開始動作登録部１３から読出して所定のワークメモリ（図示せず）にセットする。そして、表示部１７に、準備ＯＫを表示して本リストバンド１を装着している者へショットの実行を促すと共に、加速度センサ１２から入力する一連の加速度データの変動と、前記ワークメモリにセットした加速度変動データ（開始動作データ）の対比を開始し（Ｓ４０３）、Ｓ４１０へ進む。
【００３４】
Ｓ４１０において、加速度センサ１２から入力する一連の加速度データから開始動作に対応する加速度データ変動の検出、および操作部１６による起動操作の検出を監視し、開始動作または起動操作を検出した場合（Ｓ４１０，ＹＥＳ）、脈拍血圧計測部１１が計測した脈拍と血圧の最新の値と、脈拍血圧実行結果記憶部１５に記憶されている過去の傾向とを対比して推定した、緊急度と実行結果の推定を表示（Ｓ４１１）し、Ｓ４１２へ進む。
【００３５】
Ｓ４１２において、閾値登録部１４に登録されている当該ゴルファーの脈拍および血圧の閾値と、脈拍血圧計測部１１が計測した脈拍と血圧の最新の値を対比し、計測された脈拍と血圧の最新の値が、脈拍または血圧の閾値を超えたアラームレベルの場合（Ｓ４１２，ＹＥＳ）、表示部１７のアラーム通知機能（例えば、強烈なバイブレータ振動）により、ミスの可能性がある旨をアラームし（Ｓ４１３）、Ｓ４１４へ進む。Ｓ４１２でＮＯであれば、Ｓ４１３をスキップしてＳ４１４へ進む。
【００３６】
ここで、閾値登録部１４には、脈拍血圧実行結果記憶部１５に記憶されている過去のデータに基づいて、ゴルファー自身が判断した、または所定の統計処理により演算された、適当と思われる脈拍と血圧の閾値（例えば、脈拍数１２０，血圧１６０）が登録されている。また、閾値登録部１４に登録する閾値は、脈拍または血圧のいずれか一方だけであってもよい。一般的に、過度の緊張状態においては、動悸が激しく、脈拍数が異常に増加する傾向であるので、脈拍数の増加を判定するだけ、または脈拍数の増加を重視する判定処理とすることが実用的と思われる。
【００３７】
Ｓ４１４において、加速度センサ１２からの加速度データを解析し、ショット後の静止状態（図２に図示していない、状態Ｄ以降のフィニッシュの状態）を検出した場合、または操作部１６に実行完了の入力があった場合（Ｓ４１４，ＹＥＳ）、Ｓ４１５に進む。
Ｓ４１５において、実行結果を記憶する操作が為されると（Ｓ４１５，ＹＥＳ）、計測した脈拍／血圧と、ゴルファーが入力した緊張度／実際の実行結果を対応付けて、脈拍血圧実行結果記憶部１５に記憶し（Ｓ４１６）、Ｓ４１７へ進む。Ｓ４１５でＮＯであれば、Ｓ４１６をスキップしてＳ４１７へ進む。
【００３８】
Ｓ４１７において、データ処理／制御部１０は、終了操作の有無を判定し、終了操作が為されていなければ（Ｓ４１７，  ＮＯ）、Ｓ４１０へ戻り、以降の処理を繰り返す。これによる複数のショットの各々に対応するデータを効率的に脈拍血圧実行結果記憶部１５に蓄積できる。終了操作が為された場合（Ｓ４１７，  ＹＥＳ）、Ｓ４０３で開始した、当該ゴルファーの開始動作データの対比処理を停止し（Ｓ４１８）、Ｓ４０２へ戻る。
【００３９】
次に、各種データの登録／修正／削除について説明する。Ｓ４２０において、登録／修正／削除の何れかの操作が為されると（Ｓ４２０，ＹＥＳ）、表示部１７にゴルファー名／アラームレベル等を登録／修正／削除に係る案内情報を表示し、それを見た操作者による操作部１６への操作内容に応じて、ゴルファー名、アラームレベル等を登録／修正／削除（Ｓ４２１）し、Ｓ４３０に進む。
【００４０】
Ｓ４３０において、開始動作（図２の状態Ｂ）の登録を要求する操作が為された場合（Ｓ４３０，ＹＥＳ）、データ処理／制御部１０は、表示部１７に、開始動作の実行を促す案内情報と準備ＯＫを表示し、加速度センサ１２から入力する加速度データの監視を開始し（Ｓ４３１）、Ｓ４３２へ進む。Ｓ４３０でＮＯであればＳ４４０へ進む。
Ｓ４３１において、開始動作の実行を促す案内情報を表示する理由は、フォワードプレスやワッグル等の開始動作だけをゴルファーに実行させるためである。これにより、静〜動〜静の状態変化において、動の部分が開始動作となり、一連のスイングから開始動作を抽出するような高度な加速度変動の解析処理が不要となる。
【００４１】
Ｓ４３２において、ゴルファーの動きを検出すると（Ｓ４３２，ＹＥＳ）、以降の加速度センサ１２から入力する加速度データの記憶を開始する（Ｓ４３３）。この加速度データの記憶は、次の静止状態を検出するまで（Ｓ４３４，ＹＥＳ）継続する。
そして、静止状態を検出すると（Ｓ４３４，ＹＥＳ）、加速度データの監視／記憶を停止し（Ｓ４３５）、表示部１７へ記憶した一連の加速度データを表示し、操作者が指定した部分の加速度データを、指定されたゴルファーの開始動作として開始動作登録部１３に登録する（Ｓ４３６）。
【００４２】
次に、脈拍／血圧に基づく健康異常の監視について説明する。Ｓ４４０において、脈拍／血圧に異常がある場合（Ｓ４４０，  ＹＥＳ）、健康異常である旨をアラームし（Ｓ４４１）、Ｓ４０２へ戻る。Ｓ４４０でＮＯの場合、Ｓ４４１をスキップしてＳ４０２へ戻る。これにより、Ｓ４０２，Ｓ４２０，Ｓ４４０の各ＮＯを循環している待機状態において、健康異常（４４０，  ＹＥＳ）を検知できるので、本リストバンド１を腕に装着しているだけでも安心である。
【００４３】
以上、本発明の一実施の形態について説明した。本発明によれば、本リストバンド１を使用する各ゴルファーの脈拍／血圧／緊張度／実行結果をショット毎に蓄積していくので、脈拍／血圧／緊張度／実行結果の因果関係を統計的に把握することができる。また、脈拍／血圧の適切な閾値を登録しておけば、実施のショットの直前に緊張度やミスショットの推定をアラームすることができ、ミスショットを事前に防止することができる。
【００４４】
また、本リストバンド１は、ゴルフクラブに装着するのではなく、ゴルファー自身の腕に装着するので、種々のクラブを駆使する実際のラウンドの中で、データを収集することも可能である。
【００４５】
ところで、本発明の実施形態として、ゴルフのスイングを例に説明したが。本発明はこれに限定されない。即ち、スポーツ，演奏，講演等、緊張に伴う所定の行為を実行する行為者の緊張状態を、当該行為の直前にアラームすることも可能である。
【符号の説明】
【００４６】
１・・・リストバンド
１０・・・データ処理／制御部
１１・・・脈拍血圧計測部
１２・・・加速度センサ
１３・・・開始動作登録部
１４・・・閾値登録部
１５・・・脈拍血圧実行結果記憶部
１６・・・操作部
１７・・・表示部
１８・・・近距離無線通信部
【図１】
2017138897.tif 000003
【図２】
2017138897.tif 000004
【図３】
2017138897.tif 000005
【図４】
2017138897.tif 000006